【事件の表示】
　特許第２９２３０９８号「テープカセット」の請求項１ないし２１に係る特許に対する特許異議の申立てについて、次のとおり決定する。
【結　論】
　訂正を認める。
　特許第２９２３０９８号の請求項１ないし５に係る特許を維持する。
【理　由】
１．手続きの経緯
　特許出願　　　　　平成３年９月２０日
　特許権設定登録　　平成１１年４月３０日
　特許異議の申立て　平成１２年１月１３日
　（異議申立人ティーディーケイ株式会社）
　取消理由通知　　　平成１２年３月３１日
　特許異議意見　　　平成１２年６月１２日
　訂正請求　　　　　平成１２年６月１２日
　訂正請求取下　　　平成１２年８月２８日
　取消理由通知　　　平成１２年８月３０日
　訂正請求　　　　　平成１２年９月８日
　
２．訂正の適法性
（１）本件発明
　訂正特許明細書の請求項１〜５に係る発明（以下、「本件発明」という。）は、その特許請求の範囲の請求項１〜５に記載された次のとおりのものである。
「【請求項１】第２のケースを備え
、記録再生装置に装着されたときに、前記記録再生装置に設けられた位置決め部材により、前記第２のケースの下面において、その厚さ方向の位置決めがなされる基準の
前記記録再生装置に
第１のテープカセットであって
　第１のケースを備えており、
　前記第１のケースは、前記第２のケースよりも厚さ方向の外形寸法が大きく、その下面と平行で、前記下面から所定距離だけ内側に離れるように設けられた基準面を有してな
り、
前記記録再生装置に装着されたときに、前記位置決め部材により、前記基準面において、その厚さ方向の位置決めがなされ
【請求項２】前記第１および第２のテープカセットは、テープを巻装するための一対のリールを備えていることを特徴とする請求項１に記載の第１のテープカセット。
【請求項３】前記第１および第２のテープカセットは、記録再生装置のテープガイドが挿入される開口部を備えていることを特徴とする請求項１または請求項２に記載の第１のテープカセット。
【請求項４】前記第１および第２のテープカセットは、記録再生装置に装着されたときに前記第１および第２のケースの下面に平行な平面内における位置を定めるための一対の基準穴を備えていることを特徴とする請求項１乃至請求項３のいずれかに記載の第１のテープカセット。
【請求項５】前記第１および第２のテープカセットは、独立して記録再生装置に用いられることを特徴とする請求項１乃至請求項４のいずれかに記載の第１のテープカセット。」
（２）訂正の目的の適否、新規事項の有無及び拡張・変更の存否
　上記訂正は、特許明細書の請求項２，３，８〜２１を削除し、同請求項４〜７を順次繰り上げて、請求項１〜５とし、上記請求項の記載事項中、下線部の構成を付加して構成要件を限定したものであって、特許請求の範囲の減縮に該当し、新規事項の追加に該当せず、実質的に特許請求の範囲を拡張又は変更するものではない。
（３）その他の訂正について
　上記特許請求の範囲の減縮に伴い、明細書の明りょうでない記載の釈明をしたものであって、実質的に特許請求の範囲を拡張又は変更するものではない。
（４）むすび
　以上のとおりであるから、上記訂正請求は、特許法第１２０条の４第２項及び同条第３項で準用する第１２６条第２〜４項の規定に適合するので、当該訂正を認める。
　
３．特許異議申立ての理由の概要
　異議申立人ティーディーケイ株式会社は、特許請求の範囲の請求項１〜２１に係る発明は、甲第１，２号証に記載された発明に基いて、当業者が容易に発明をすることができたものであるので、特許法第２９条第２項の規定により、また、本件の明細書の記載に矛盾するところがあり、特に特許請求の範囲に記載された発明は、発明の詳細な説明に記載された発明の目的、効果を達成することは不可能であるから、特許法第３６条の規定に違反しているので、特許を受けることができないものであるから、その特許は取り消されるべきものである旨主張している。
　
４．当審の判断
（１）進歩性について
　異議申立人ティーディーケイ株式会社が提示した刊行物１（実公昭６１−２８２９６号公報：甲第１号証）には、「本考案は、例えば標準タイプの記憶再生機に対応する標準タイプのテープカセットより小型のテープカセットを標準タイプの記録再生機で記録再生する際に用いるテープカセット用アダプタに係り、」（第１欄第１７〜２１行）及び「このアダプタＢの枠体は、下ハーフ５１と上ハーフ５２とからなり、下ハーフ５１には小型カセットＡを収納する切欠部である収納部５３が形成されている。この収納部５３は、その端に小型カセットＡを支える突部５４、５５、５６、５７が形成されており、他方小型カセットＡの下ハーフ２にはこの突部５４、５５、５６、５７の位置に対応して凹部２８、２９、３０、３１が形成されており、これらの突部と凹部とによって小型カセットＡの、特に上下方向における位置決めを図っている。そして、これらの突部と凹部とを嵌合した際に、小型カセットの底面とアダプタの底面とがほぼ同一平面となるようにしている。又、突部５４、５５にはピン５８、５９が植設されており、このピン５８、５９が小型カセットＡの下ハーフ２に形成した孔３２、３３に挿入され、これらによって小型カセットＡの位置決めをさらに行なうと共に、」（第４欄第３８行〜第５欄第１１行及び第１図ｄ、第７図）が、
同刊行物２（特開昭６０−１２５９８３号公報：甲第２号証）には、「【請求項１】カセット筐体の前面開口部に該前面開口部を開閉する回動可能な開閉蓋を設けたテープカセットにおいて、上記開閉蓋が開く回動方向とは反対側の上記前面開口部に上記カセット筐体の位置決めのための基準面を有する凹部を設けたことを特徴とするテープカセット。」（「特許請求の範囲」の欄）、「さらに、このテープカセットの前面の閉口部の両端近くの上下側部にはそれぞれ開閉蓋（２８）とカセット筐体（２１）とに亘ってカセット前面受け部（７）のつきあて部（８）を嵌める凹部である矩形溝状の受け溝部（３２）を穿設し、この受け溝部（３２）の底面をテープカセットの前後方向（矢印Ｃ、Ｅ方向）の位置決めのためのカセット前面の基準面（３３）として形成する。」（「実施例」の項及び第６〜８図）、「次に本発明のテープカセットをテープレコーダに着装する際の動作を第１図乃至第５図によって説明する。まず、テープレコーダのカセットホルダが前方に傾動して開いている第１図及び第２図に示す状態では、テープカセットがカセットホルダのカセット支持部（６）に矢印Ｃ方向に挿着され、カセットホルダのカセット前面受け部（７）のつきあて部（８）がテープカセットの受け溝部（３２）に嵌まりカセット前面の基準面（３３）に当接してその前後方向の位置決めをした状態に収まっている。」（「実施例」の項及び第１〜５図）及び「本発明のテープカセットによれば、開閉蓋の回動動作の邪魔にならない位置に位置決めのための基準面が設けられてあるので、テープレコーダの開閉蓋開放装置内で正確にテープカセットの位置決めをすることができ、開閉蓋の開閉動作を確実に行わせることができる効果がある。」（「発明の効果」の項）ことが、それぞれ記載されている。
　そこで、本件発明と刊行物１，２に記載された発明とを対比すると、後者のいずれも、少なくとも前者の必須の構成である「第１のケースを備えており、前記第１のケースは、前記第２のケースよりも厚さ方向の外形寸法が大きく、その下面と平行で、前記下面から所定距離だけ内側に離れるように設けられた基準面を有してなり、前記記録再生装置に装着されたときに、前記位置決め部材により、前記基準面において、その厚さ方向の位置決めがなされる」構成を具備していない。
　そして、前者は上記必須の構成を具備することにより、後者のいずれからも予測できない明細書記載のとおりの「本発明によれば、テープカセットの高さ決め基準面がテープカセットの下面に露出することが無いので、テープカセットの操作時に機構部あるいは異物等により基準面に損傷を与えることが無く、高さ決め基準面の精度を確保することができ、また、テープカセットの厚さが異なっていても、同じ記録再生装置に装着することができる。」という特有の作用効果を奏するものであるから、前者が後者から容易に発明をすることができたものであるとすることはできない。
（２）記載不備について
　上記（１）進歩性についての項で論述したように、本件発明が上記必須の構成を具備することにより、明細書記載のとおりの上記作用効果を奏することは、本件明細書に明記されており、その記載に矛盾は認められないから、本件明細書に記載不備が存するとすることはできない。
　
５．むすび
　以上のとおりであるから、特許異議申立ての理由及び証拠によって、本件発明の特許を取り消すことはできない。
　また、他に本件発明の特許を取り消すべき理由を発見しない。
　よって、結論のとおり決定する。
【異議決定日】
平成１２年９月１２日（２０００．９．１２）
【訂正の要旨】
▲１▼　特許請求の範囲の減縮を目的とし、特許第２９２３０９８号明細書における特許請求の範囲の請求項１に係る記載を、これに請求項２および請求項３の限定を付加して、
「【請求項１】第２のケースを備え、記録再生装置に装着されたときに、前記記録再生装置に設けられた位置決め部材により、前記第２のケースの下面において、その厚さ方向の位置決めがなされる基準の第２のテープカセットと互換性を有して前記記録再生装置に使用可能とされる第１のテープカセットであって、
　第１のケースを備えており、
　前記第１のケースは、前記第２のケースよりも厚さ方向の外形寸法が大きく、その下面と平行で、前記下面から所定距離だけ内側に離れるように設けられた基準面を有してなり、
　前記記録再生装置に装着されたときに、前記位置決め部材により、前記基準面において、その厚さ方向の位置決めがなされることを特徴とする第１のテープカセット。」
とするとともに、請求項２及び請求項３を削除するように訂正する。
▲２▼　上記▲１▼の特許請求の範囲の減縮を目的とした訂正に伴い、特許請求の範囲の減縮を目的とし、請求項４乃至請求項７を、
「【請求項２】前記第１および第２のテープカセットは、テープを巻装するための一対のリールを備えていることを特徴とする請求項１に記載の第１のテープカセット。
　【請求項３】前記第１および第２のテープカセットは、記録再生装置のテープガイドが挿入される開口部を備えていることを特徴とする請求項１または請求項２に記載の第１のテープカセット。
　【請求項４】前記第１および第２のテープカセットは、記録再生装置に装着されたときに前記第１および第２のケースの下面に平行な平面内における位置を定めるための一対の基準穴を備えていることを特徴とする請求項１乃至請求項３のいずれかに記載の第１のテープカセット。
　【請求項５】前記第１および第２のテープカセットは、独立して記録再生装置に用いられることを特徴とする請求項１乃至請求項４のいずれかに記載の第１のテープカセット。」
　と訂正する。
▲３▼特許請求の範囲の減縮を目的とし、特許第２９２３０９８号明細書における特許請求の範囲の請求項８乃至請求項２１に係る記載を削除するように訂正する。
▲４▼　特許第２９２３０９８号公報における第３頁左欄第３４乃至右欄第２２行の記載
「上記目的を達成するために、本発明に係るテープカセットは以下の構成を特徴とする。すなわち、第１のカセットは、第２のケースを備えてなる第２のテープカセットと互換性を有して使用可能とされ、第１のケースを備えており、前記第１のケースは、前記第２のケースよりも厚さ方向の外形寸法が大きく、その下面と平行で、前記下面から所定距離だけ内側に離れるように設けられた基準面を有してなる構成とする。また、第２のカセットは、第１のケースを備え、前記第１のケースに、その下直と平行で、前記下面から所定距離だけ内側に離れるように設けられた基準面を有してなる第１のテープカセットと互換性を有して使用可能とされ、前記第１のケースよりも厚さ方向の外形寸法が小さい第２のケースを備えてなる構成とする。また、第１および第２のテープカセットが互換性を有して使用可能とされるテープカセットシステムであり、前記第１のテープカセットは、第１のケースを備えており、また、前記第１のケースは、その下面と平行で、前記下面から所定距離だけ内側に離れるように設けられた基準面を有しており、前記第２のテープカセットは、前記第１のケースよりも厚さ方向の外形寸法が小さい第２のケースを備えている。また、前記第１のテープカセットは、記録再生装置に装着されたときに、前記基準面において、その厚さ方向の位置決めがなされ、前記第２のテープカセットは、記録再生装置に装着されたときに、前記第２のケースの下面において、その厚さ方向の位置決めがなされるべくしてなる。また、前記第１および第２のテープカセットは、記録再生装置装置に装着されたときに、記録再生装置に設けられた共通の位置決め部材により、位置決め可能とされる。また、前記第１および第２のテープカセットは、テープを巻装するための一対のリールを備えている。また、前記第１および第２のテープカセットは、記録再生装置のテープガイドが挿入される開口部を備えている。また、前記第１および第２のテープカセットは、記録再生装置に装着されたときに前記第１および第２のケースの下面に平行な平面内における位置を定めるための一対の基準穴を備えている。また、前記第１および第２のテープカセットは、独立して記録再生装置に用いられる。」
を、不明りょうな記載の釈明を目的として、
「上記目的を達成するために、本発明に係るテープカセットは以下の構成を特徴とする。すなわち、第２のケースを備え、記録再生装置に装着されたときに、前記記録再生装置に設けられた位置決め部材により、前記第２のケースの下面において、その厚さ方向の位置決めがなされる基準の第２のテープカセットと互換性を有して前記記録再生装置に使用可能とされる第１のテープカセットであって、第１のケースを備えており、前記第１のケースは、前記第２のケースよりも厚さ方向の外形寸法が大きく、その下面と平行で、前記下面から所定距離だけ内側に離れるように設けられた基準面を有してなり、前記記録再生装置に装着されたときに、前記位置決め部材により、前記基準面において、その厚さ方向の位置決めがなされる構成とする。また、前記第１および第２のテープカセットは、テープを巻装するための一対のリールを備えている。また、前記第１および第２のテープカセットは、記録再生装置のテープガイドが挿入される開口部を備えている。また、前記第１および第２のテープカセットは、記録再生装置に装着されたときに前記第１および第２のケースの下面に平行な平面内における位置を定めるための一対の基準穴を備えている。また、前記第１および第２のテープカセットは、独立して記録再生装置に用いられる。」
と訂正する。
▲５▼　特許第２９２３０９８号公報における第３頁右欄第３２乃至３４行の記載
「また、テープカセットの平面内での位置決めを行う位置決め部材は、前記凹部内に設けられた穴に嵌合する。」
を、不明りょうな記載の釈明を目的として、
「また、厚みの大きいテープカセットの平面内での位置決めを行う位置決め部材は、前記凹部内に設けられた穴に嵌合する。」
と訂正する。
▲６▼　特許第２９２３０９８号明細書における第５頁左欄第１乃至７行の記載
「本発明によれば、テープカセットの高さ決め基準面がテープカセットの下面に露出することが無いので、テープカセットの操作時に機構部あるいは異物等により基準面に損傷を与えることが無く、高さ決め基準面の精度を確保することができ、また、テープカセットの厚さが異なっていても、同じ記録再生装置に装着することができる。」
を、不明りょうな記載の釈明を目的として、
「本発明によれば、厚みの大きいテープカセットの高さ決め基準面がテープカセットの下面に露出することが無いので、テープカセットの操作時に機構部あるいは異物等により基準面に損傷を与えることが無く、高さ決め基準面の精度を確保することができ、また、テープカセットの厚さが異なっていても、同じ記録再生装置に装着することができる。」
と訂正する。
（５４）【発明の名称】
テープカセット
（５７）【特許請求の範囲】
　【請求項１】
　
第２のケースを備え、記録再生装置に装着されたときに、前記記録再生装置に設けられた位置決め部材により、前記第２のケースの下面において、その厚さ方向の位置決めがなされる基準の第２のテープカセットと互換性を有して前記記録再生装置に使用可能とされる第１のテープカセットであって
　第１のケースを備えており、
　前記第１のケースは、前記第２のケースよりも厚さ方向の外形寸法が大きく、その下面と平行で、前記下面から所定距離だけ内側に離れるように設けられた基準面を有して
なり、
　前記記録再生装置に装着されたときに、前記位置決め部材により、前記基準面において、その厚さ方向の位置決めがなされる
　【請求項２】
前記第１および第２のテープカセットは、テープを巻装するための一対のリールを備えていることを特徴とする請求項１に記載の第１のテープカセット。
　【請求項３】
前記第１および第２のテープカセットは、記録再生装置のテープガイドが挿入される開口部を備えていることを特徴とする請求項１または請求項２に記載の第１のテープカセット。
　【請求項４】
前記第１および第２のテープカセットは記録再生装置に装着されたときに前記第１および第２のケースの下面に平行な平面内における位置を定めるための一対の基準穴を備えていることを特徴とする請求項１乃至請求項３のいずれかに記載の第１のテープカセット。
　【請求項５】
前記第１および第２のテープカセットは、独立して記録再生装置に用いられることを特徴とする請求項１乃至請求項４のいずれかに記載の第１のテープカセット。
【発明の詳細な説明】
　【０００１】
　【産業上の利用分野】本発明は、磁気記録再生装置におけるテープカセットに係り、特に装置に装着する際の位置決めに関するものである。
　【０００２】
　【従来の技術】磁気テープを巻装するリールを内蔵するテープカセットは、記録再生を行なう装置に装着されたときに、リールとテープカセットのケースとは各々別々に位置決めされる。即ち、リールは装置のリール台により、テープカセットのケースは装置の位置決め部材により位置決めされる。従来のテープカセットは、例えばＳＭＰＴＥ　Ｊｏｕｒｎａｌ，Ｍａｒｃｈ１９８６の３５８ページから３７４ページに記載されるＤ１あるいはＤ２のテープカセットのように、テープカセットのケースの位置決めを行なう面あるいは穴は、ケースの最も外側の面、即ち最下面、に設けられるのが一般的である。この様な形状は構造が最も簡単である。また内部の構造にあまり影響されずに基準面あるいは穴を設けられるので、テープカセットの薄型化に適している。
　【０００３】
　【発明が解決しようとする課題】しかし、上記のような従来技術は、テープカセットの基準面の精度、特にその精度の維持という点について考慮がなされていない。即ち、通常テープカセットは、カセットローディング機構により装置に装着される。この時、テープカセットのケース表面はカセットローディング機構と接触ししゅう動する。この様な動作を繰り返すことにより、テープカセットのケース表面は傷み易い。また、テープカセットの運搬時等にもケース表面は異物と接触しやすく、表面精度が劣化しやすい。テープカセットの基準面の表面精度が劣化すると、装置に装着した際に、装置に対するテープカセットの位置が不正確となり、テープカセットが水平に装着されなくなる。従って、テープカセット内部でリールがケースと擦れあったり、あるいは、テープカセット内部のテープガイドの精度が劣化しテープ走行が不安定となる。また、近年ＶＴＲはミニムービとして広く普及しアウトドアで使用されるケースが増加している。これらの使用環境では、防塵および防滴対策はもとより、テープカセットを落したりしても破損しないヘビーデューティなものが求められる。この様な市場の要求に対して、上記した従来技術は必ずしも十分な考慮がなされていなかった。本発明の目的は、これらの不都合点を解消し、位置決めのための面を高精度に維持できると共に、ケースの強度を確保することができ、また、厚さが異なっていても同じ装置に装着することができるテープカセットを提供することにある。
　【０００４】
　【課題を解決するための手段】上記目的を達成するために、本発明に係るテープカセットは以下の構成を特徴とする。すなわち、
第２のケースを備え、記録再生装置に装着されたときに、前記記録再生装置に設けられた位置決め部材により、前記第２のケースの下面において、その厚さ方向の位置決めがなされる基準の第２のテープカセットと互換性を有して前記記録再生装置に使用可能とされる第１のテープカセットであって、第１のケースを備えており、前記第１のケースは、前記第２のケースよりも厚さ方向の外形寸法が大きく、その下面と平行で、前記下面から所定距離だけ内側に離れるように設けられた基準面を有してなり、前記記録再生装置に装着されたときに、前記位置決め部材により、前記基準面において、その厚さ方向の位置決めがなされる構成とする。また、前記第１および第２のテープカセットは、テープを巻装するための一対のリールを備えている。
　【０００５】
　【作用】テープカセットの下面には、部分的に前記下面より所定量だけ離れた凹部が複数個設けられている。更に、該凹部の中の少なくとも二箇所には、該凹部をなす平面内に穴が設けられている。テープカセットを装置に装着する際に高さ方向の位置決めを行なう位置決め部材は、該凹部の大きさよりも小さく形成されており、該凹部の面で高さ決めが行なわれ、テープカセットの厚さが異なっていても、同じ記録再生装置に装着することができる。また、
厚みの大きい
　【０００６】
　【実施例】次に図１〜図１１により、実施例を詳細に説明する。図１は本発明によるテープカセットの一実施例の底面図である。１０はテープカセットであり、１は下ケース、２はテープカセット１０の前面を覆う蓋、３は下ケース１と蓋２により形成される開口部であり、ローディング時にテープを引出すテープガイドが挿入される。４はサプライ側リール、５はテイクアップ側リールであり、テープカセット１０内でテープを巻装し、下ケース１に設けられた穴からリール台による駆動部が外部に臨む。また下ケース１には、その開口部３の近傍に基準穴６及び７が設けられる。またリール４及び５を挾んで開口部３とは反対側の隅に凹部８及び９が設けられる。本実施例においては、これらの基準穴６、７及び凹部８、９は、リールのハブ径とはラップしない位置に配置されており、テープカセットの薄型化を阻害しない。図２は上記基準穴及び凹部の断面を示す側断面図である。下ケース１の下面１ａには、各種の凹部が設けられており、これらの断面を列記したのが図２である。基準穴６は二段の凹部により形成され、下面１ａからの最初の凹部には高さ決め基準面６ａが設けられ、更にその奥には凹部６ｂが設けられる。該凹部６ｂは略円形状をなす。基準穴７も同様に二段の凹部により形成され、下面１ａからの最初の凹部には高さ決め基準面７ａが設けられ、更にその奥には凹部７ｂが設けられる。該凹部７ｂは略長円形状をなす。凹部８は高さ決め基準面８ａを持つ一段の凹部で形成される。凹部９も同様の形状である。上記した高さ決め基準面６ａ、７ａ、８ａは同一の高さ（Ｌ２）に設けられるのが良い。高さの基準面が同じ高さになり精度を確保しやすいからである。上記テープカセット１０を装置に装着する状態を次に示す。図３は装着前の状態であり、図４は装着時の状態である。シャシ１１には位置決めピン１３と高さ決めピン１４が固定されている。位置決めピン１３は段付き形状になっており、上部には略円錐形状のガイド部１３ａとその下方に連なる円錐形状の位置決め部１３ｂとが設けられ、下部にはその上面にカセット載置面１３ｃが設けられる円筒部からなる。高さ決めピン１４の上端にはカセット載置面１４ａが設けられる。図３に示す矢印の方向にテープカセットが移動すると図４に示す装着状態になる。ガイド部１３ａは凹部６ｂに倣ってテープカセットのシャシに対する概略の位置を定め、位置決め部１３ｂと凹部６ｂとの嵌合により正確な位置決めがなされる。またカセット載置面１３ｃは高さ決め基準面６ａと当接してテープカセットの高さを定める。基準穴７に対しても図示しないが同様の位置決めピンが対応し、基準穴６とでテープカセットのシャシに対する平面内での位置を定める。カセット載置面１４ａは高さ決め基準面８ａに当接して、カセット載置面１３ｃとでテープカセットの高さを定める。また本実施例に示した凹部８及び９は、所定の面積を確保することが出来るので、例えば、オートチェンジャ用のグリップ等にも兼用して使用することが出来る。
　【０００７】次に図５及び図６により他の実施例を説明する。図５はテープカセットの底面図、図６はその側断面図である。テープカセット２０の下ケース２１には、その開口部２８の近傍に凹部２２及び２３が設けられる。また下ケースの下方にはその両隅に凹部２４及び２５が設けられる。更に凹部２４内には基準穴２６が、凹部２５内には基準穴２７が設けられる。基準穴２６は略円形であり、基準穴２７は略長円形である。基準穴２６及び２７には前記した図３に示す位置決めピン１３が挿入され、凹部２２及び２３には高さ決めピン１４が係合する。各凹部に設けられる高さ決め基準面２２ａ、２４ａ及び２５ａは、下ケース２１の下面２１ａに対して同じ高さ（Ｌ３）に配置される。次に図７〜図９によりその他の実施例を説明する。図７はテープカセットの底面図、図８は装着前の側面図、図９は装着時の側面図を示す。テープカセット３０の下ケース３１には、凹部３３、３４、３５及び３６が設けられる。凹部３３及び３４は開口部３２の近傍に、凹部３５及び３６はリールを挾んで開口部とは反対側の隅に設けられる。凹部３３は略円形であり、凹部３４は略長円形である。また凹部３５および３６は所定の大きさを持っている。図８に示すようにシャシ１１には、位置決めピン３７と高さ決めピン３８が固定されている。これらのピンは先端部に若干のテーパを持つ同じ形状であり、同一部品を使用できる。テープカセットが図８の状態から装置に装着される図９の状態になると、位置決めピン３７が凹部３３及び３４に挿入される。凹部３３の内径及び凹部３４の幅は、位置決めピン３７の外径に略等しく、テープカセット３０の位置決めがなされる。更に凹部３５及び３６に高さ決めピン３８が係合する。本実施例によれば、位置決めピンを共通化できるとともに、テープカセットの形状を簡略化できる。次に本実施例の応用について述べる。図１０及び図１１は本実施例に述べたテープカセットより薄型の通常のテープカセットを示す。図１０はテープカセットがシャシに装着される前の状態を、図１１はテープカセットがシャシに装着された状態を示す。サプライ側リール４を内蔵するテープカセット４０は、その下面４４に基準穴４１を持つ。シャシ１１には位置決めピン４２と高さ決めピン４３が設けられる。位置決めピン４２は基準穴４１に嵌合しテープカセットの位置を定める。高さ決めピン４３はテープカセットの所定の位置を支えてテープカセットの高さを定める。この場合テープカセットの高さの基準面は下面４４である。これに対して、本願実施例の図２等に示すように、テープカセット４０より厚いテープカセット１０に対して下面１ａと高さ決め基準面６ａ、７ａ、８ａとの間隔Ｌ２を、前記テープカセットの厚さの差と同じとすれば、位置決めピン１３と４２、及び高さ決めピン１４と４３は同じ形状でシャシに対するテープカセットの高さを同じとすることができる。即ち、同じメカニズムで異なる厚さのテープカセットに対応することができる。従って、厚いテープカセットの内部に強度確保のためのリブ等を設けることもできる。
　【０００８】
　【発明の効果】本発明によれば、
厚みの大きい
【図面の簡単な説明】
　【図１】本発明によるテープカセットの底面図である。
　【図２】テープカセットの凹部を示す側断面図である。
　【図３】テープカセット装着前の状態を示す側面図である。
　【図４】テープカセット装着時の状態を示す側面図である。
　【図５】本発明の他の実施例によるテープカセットの底面図である。
　【図６】テープカセットの凹部を示す側断面図である。
　【図７】本発明のその他の実施例によるテープカセットの底面図である。
　【図８】テープカセット装着前の状態を示す側面図である。
　【図９】テープカセット装着時の状態を示す側面図である。
　【図１０】従来カセットによる装着前の状態を示す側面図である。
　【図１１】従来カセットによる装着時の状態を示す側面図である。
　【符号の説明】
　１　…下ケース
　２　…蓋
　３　…開口部
　４　…サプライ側リール
　５　…テイクアップ側リール
　６　…基準穴
　７　…基準穴
　８　…凹部
　９　…凹部
　１０　…テープカセット
　１３　…位置決めピン
　１４　…高さ決めピン
　２０　…テープカセット
　２１　…下ケース
　２２　…凹部
　２３　…凹部
　２４　…凹部
　２５　…凹部
　２６　…基準穴
　２７　…基準穴
　３３　…凹部
　３４　…凹部
　３７　…位置決めピン
　３８　…高さ決めピン